(57)【要約】【課題】自動取引装置において、通帳のＭＳデータが破壊された場合、窓口に出向くことなく、その場で、破壊されたＭＳデータの復元、又は記帳済み通帳の再発行ができなかった。【解決手段】通帳を使用した取引中に、ＭＳデータのリードエラーが発生した場合、顧客が挿入したカードから読み出したカード情報及び顧客が入力した暗証番号を取得する情報取得手段（制御部７）と、情報取得手段が取得した情報をセンタへ送り、通帳の磁気ストライプデータの復元を要求するＭＳ復元要求手段（制御部７）と、情報取得手段が取得しセンタへ送信したカード情報および暗証番号に基づいてセンタが前記要求の妥当性を判断した結果の許可情報が通知された場合、該許可情報に基づいて通帳の復元のための磁気ストライプへの情報の書き込みを行うＭＳ復元手段（制御部７）とを備えている。【選択図】図１
2007058877.tif 000002
【特許請求の範囲】
【請求項１】
取引情報を記録した磁気ストライプを有する通帳及び取引情報を記録したカードを扱い、顧客の操作に基づいて取引を行う自動取引装置において、
前記通帳を使用した取引中に、該通帳の磁気ストライプデータのリードエラーが発生した場合、顧客が挿入したカードから読み出したカード情報及び顧客が入力した暗証番号を取得する情報取得手段と、
前記情報取得手段が取得した情報をセンタへ送り、通帳の磁気ストライプデータの復元を要求するＭＳ復元要求手段と、
前記情報取得手段が取得しセンタへ送信した前記カード情報および前記暗証番号に基づいてセンタが前記要求の妥当性を判断した結果の許可情報が通知された場合、該許可情報に基づいて通帳の復元のための磁気ストライプへの情報の書き込みを行うＭＳ復元手段と、
を備えていることを特徴とする自動取引装置。
【請求項２】
前記通帳の磁気ストライプデータのリードエラーが発生した場合、顧客に磁気ストライプの復元又は通帳の再発行を選択させるためのＭＳ復元キーを備えていることを特徴とする請求項１記載の自動取引装置。
【請求項３】
ＭＳ復元／通帳再発行手段は、
センタから受信した許可情報を基に、前記リードエラーが発生した通帳の磁気ストライプに対し、磁気ストライプデータの書き込みを行って磁気ストライプデータの復元処理を行い、正常終了したら該通帳を顧客に返却して処理を終了し、異常終了したら通帳を再発行する機能を備えていることを特徴とする請求項１記載の自動取引装置。
【請求項４】
ＭＳ復元／通帳再発行手段は、
通帳の磁気ストライプデータを復元する場合、或いは通帳を再発行する場合、前記磁気ストライプデータを復元する通帳に、顧客を特定し、判断できる情報が印字されていることで、通帳の妥当性を得る機能を備えていることを特徴とする請求項１記載の自動取引装置。
【請求項５】
取引情報を記録した磁気ストライプを有する通帳及び取引情報を記録したカードを扱い、顧客の操作に基づいて取引を行う自動取引装置に、
前記通帳を使用した取引中に、該通帳の磁気ストライプデータのリードエラーが発生した場合、顧客が挿入したカードから読み出したカード情報及び顧客が入力した暗証番号を取得する情報取得手段と、
前記情報取得手段が取得した情報をセンタへ送り、通帳の磁気ストライプデータの復元を要求するＭＳ復元要求手段と、
前記情報取得手段が取得しセンタへ送信した前記カード情報および前記暗証番号に基づいてセンタが前記要求の妥当性を判断した結果の許可情報が通知された場合、該許可情報に基づいて通帳の復元のための磁気ストライプへの情報の書き込みを行うＭＳ復元手段の機能を実現させるためにコンピュータで動作可能のプログラム。
【発明の詳細な説明】
【技術分野】
【０００１】
本発明は、銀行、その他の金融機関等の店舗に設置され、顧客の操作に基づき入出金等の取引を行うＡＴＭ（Autmatic Tellers Machine）、出金取引を行うＣＤ（Cash Dispencer）等の自動取引装置に関し、特に、ＭＳデータの破壊された通帳をその場で復元したり、ＭＳデータの復元が不可能な場合は、元の通帳の取引情報を記帳した新通帳の発行ができるようにした自動取引装置及びプログラムに関する。
【背景技術】
【０００２】
以下、従来例について説明する。
【０００３】
§１：自動取引装置の説明
従来、銀行等の金融機関等の店舗に設置され、顧客の操作に基づき入出金等の取引を行うＡＴＭ、出金取引を行うＣＤ等の自動取引装置には、顧客の取引通帳（以下、単に「通帳」と記す）やその他の冊子媒体（例えば、冊子式伝票）に取引情報を印字するためのプリンタ装置が設けられていた。
【０００４】
前記自動取引装置では、内部のプリンタ（通帳プリンタユニット）で通帳に印字している途中で通帳印字が満杯となった場合、係員を介在することなく、自動的に表紙に必要な口座情報を印字した新通帳を発行する。このため、表紙に必要な口座情報を印字した新しい通帳を再発行するための通帳発行ユニットが設けてある。
【０００５】
そして、前記通帳には、顧客の取引情報を書き込むための磁気ストライプ（以下「ＭＳ」と記す）が設けてあり、このＭＳに磁気ストライプデータ（以下「ＭＳデータ」と記す）を書き込むようになっている。
【０００６】
ところで、顧客が取引に使用する通帳のＭＳデータを破壊することがある。これは、例えば、通帳の側に磁石が置いてあったような場合に発生することがある。このように、通帳のＭＳデータが磁石等により破壊されると、自動取引装置では通帳による取引ができなくなる。すなわち、ＭＳデータが破壊されると、その通帳は自動取引装置で扱えなくなるので、顧客は、金融機関等の窓口に出向いて申告する必要がある。
【発明の開示】
【発明が解決しようとする課題】
【０００７】
前記のような従来のものにおいては、次のような課題があった。
【０００８】
前記のように、通帳のＭＳデータが破壊された場合には、自動取引装置で扱えなくなる。すなわち、自動取引装置において、通帳を使用した取引を行うためには、通帳を挿入してＭＳデータが正常にリードできる必要があり、ＭＳデータの破壊によりリードエラーとなった通帳は、顧客に返却され取り扱い不可となっていた。
【０００９】
従って、このような場合には、顧客がＭＳデータの破壊された通帳を持参して、窓口へ出向き申告する必要がある。ところが、銀行等の金融機関の窓口は、営業時間外（休日、祭日、平日の夜間など）は閉まっており、通帳が扱えない。従って、顧客は窓口が開くまで待つ必要があり、不便であった。
【００１０】
本発明は、このような従来の課題を解決し、通帳のＭＳデータが破壊された場合、窓口に出向くことなく、その場で、破壊されたＭＳデータの復元、又は通帳再発行ができるようにすることを目的とする。
【課題を解決するための手段】
【００１１】
本発明は前記の目的を達成するため、次のように構成した。
【００１２】
(1) ：取引情報を記録した磁気ストライプを有する通帳及び取引情報を記録したカードを扱い、顧客の操作に基づいて取引を行う自動取引装置において、前記通帳を使用した取引中に、該通帳の磁気ストライプデータのリードエラーが発生した場合、顧客が挿入したカードから読み出したカード情報及び顧客が入力した暗証番号を取得する情報取得手段と、前記情報取得手段が取得した情報をセンタへ送り、通帳の磁気ストライプデータの復元を要求するＭＳ復元要求手段と、前記情報取得手段が取得しセンタへ送信した前記カード情報および前記暗証番号に基づいてセンタが前記要求の妥当性を判断した結果の許可情報が通知された場合、該許可情報に基づいて通帳の復元のための磁気ストライプへの情報の書き込みを行うＭＳ復元手段とを備えていることを特徴とする。
【００１３】
(2) ：前記(1) の自動取引装置において、前記通帳の磁気ストライプデータのリードエラーが発生した場合、顧客に磁気ストライプの復元又は通帳の再発行を選択させるためのＭＳ復元キーを備えていることを特徴とする。
【００１４】
(3) ：前記(1) の自動取引装置において、ＭＳ復元／通帳再発行手段は、センタから受信した許可情報を基に、前記リードエラーが発生した通帳の磁気ストライプに対し、磁気ストライプデータの書き込みを行って磁気ストライプデータの復元処理を行い、正常終了したら該通帳を顧客に返却して処理を終了し、異常終了したら通帳を再発行する機能を備えていることを特徴とする。
【００１５】
(4) ：前記(1) の自動取引装置において、ＭＳ復元／通帳再発行手段は、通帳の磁気ストライプデータを復元する場合、或いは通帳を再発行する場合、前記磁気ストライプデータを復元する通帳に、顧客を特定し、判断できる情報が印字されていることで、通帳の妥当性を得る機能を備えていることを特徴とする。
【００１６】
(5) ：取引情報を記録した磁気ストライプを有する通帳及び取引情報を記録したカードを扱い、顧客の操作に基づいて取引を行う自動取引装置に、前記通帳を使用した取引中に、該通帳の磁気ストライプデータのリードエラーが発生した場合、顧客が挿入したカードから読み出したカード情報及び顧客が入力した暗証番号を取得する情報取得手段と、前記情報取得手段が取得した情報をセンタへ送り、通帳の磁気ストライプデータの復元を要求するＭＳ復元要求手段と、前記情報取得手段が取得しセンタへ送信した前記カード情報および前記暗証番号に基づいてセンタが前記要求の妥当性を判断した結果の許可情報が通知された場合、該許可情報に基づいて通帳の復元のための磁気ストライプへの情報の書き込みを行うＭＳ復元手段の機能を実現させるためにコンピュータで動作可能のプログラム。
【００１７】
（作用）
前記構成に基づく本発明の作用を、図１に基づいて説明する。
【００１８】
(1) ：自動取引装置１の制御部７（情報取得手段）は、通帳を使用した取引中に、通帳のＭＳデータのリードエラーが発生した場合、該通帳から読み出した通帳情報（記帳途中の印字頁、印字行等）及び取引印字情報と、顧客が挿入したカード（取引用のキャッシュカード）から読み出したカード情報（口座番号、店番号等）と、顧客が入力した暗証番号とを取得する。
【００１９】
次に、自動取引装置１の制御部７（ＭＳ復元／通帳再発行要求手段）は、前記情報取得手段が取得した情報をセンタ内のホストコンピュータ２へ送り、通帳のＭＳデータの復元又は通帳の再発行を要求する。前記要求に対し、センタ内のホストコンピュータ２から、前記要求の妥当性を判断した結果の許可情報（許可電文＋ＭＳデータ）が通知された場合、自動取引装置１の制御部７（ＭＳ復元／通帳再発行手段）は、該許可情報に基づいて通帳のＭＳデータの復元、又は通帳の再発行を行う。
【００２０】
このようにすれば、顧客は、自動取引装置１の所定の挿入口に、通帳と、同口座番号のカード（キャッシュカード）を挿入し、顧客操作画面から暗唱番号を入力するだけの簡単な操作により、即その場で、ＭＳデータの復元された通帳、又は再発行された通帳を手にいれることができる。従って、即その場で取引を継続して行うことができる。
【００２１】
すなわち、通帳のＭＳデータが破壊された場合、銀行等の金融機関の窓口に出向くことなく、即その場で、破壊されたＭＳデータの復元、又は記帳済み通帳の再発行ができ、顧客へのサービスを向上させることができる。また、金融機関での窓口業務の省力化を達成することができる。
【００２２】
(2) ：顧客操作部１４にＭＳ復元キーを新たに設けたので、通帳プリンタユニット１０において、通帳のＭＳデータのリードエラーが発生した場合、顧客は、顧客操作部１４に表示されたＭＳ復元キー２９により、通帳のＭＳデータの復元又は通帳の再発行を選択することができる。
【００２３】
従って、顧客は、ＭＳ復元キーを操作することで、簡単に、即その場で、ＭＳデータの復元された通帳、又は再発行された通帳を手にいれることができる。そして、顧客は即その場で取引を継続して行うことができる。
【００２４】
(3) ：ＭＳ復元／通帳再発行手段は、センタから受信した許可情報を基に、リードエラーが発生した通帳のＭＳに対し、ＭＳデータの書き込みを行ってＭＳデータの復元処理を行い、正常終了したら通帳を顧客に返却して処理を終了し、異常終了したら記帳済み通帳を再発行する。このようにすれば、ＭＳデータの復元のみで済む場合は通帳の再発行は必要なく、処理が簡単、かつ短時間で済む。
【００２５】
(4) ：ＭＳ復元／通帳再発行手段は、通帳のＭＳデータを復元する場合、或いは通帳を再発行する場合、前記ＭＳデータを復元する通帳に、顧客を特定し、判断できる情報（例えば、カードから読み出した口座番号等）が印字されている（欄外に印字しても良い）ことで、通帳の妥当性を得る。このようにすれば、通帳の妥当性をより一層正確に判断することができる。
【００２６】
(5) ：記録媒体からプログラムを読み出して実行することにより、通帳を使用した取引中に、該通帳の磁気ストライプデータのリードエラーが発生した場合、顧客が挿入したカードから読み出したカード情報及び顧客が入力した暗証番号を取得する情報取得手段と、前記情報取得手段が取得した情報をセンタへ送り、通帳の磁気ストライプデータの復元を要求するＭＳ復元要求手段と、前記情報取得手段が取得しセンタへ送信した前記カード情報および前記暗証番号に基づいてセンタが前記要求の妥当性を判断した結果の許可情報が通知された場合、該許可情報に基づいて通帳の復元のための磁気ストライプへの情報の書き込みを行うＭＳ復元手段の機能を実現するための処理を行う。
【００２７】
このようにすれば、顧客は、自動取引装置の所定の挿入口に、通帳と、同口座番号のカード（キャッシュカード）を挿入し、顧客操作画面から暗唱番号を入力するだけの簡単な操作により、即その場で、ＭＳデータの復元された通帳、又は再発行された通帳を手にいれることができる。従って、即その場で取引を継続して行うことができる。
【００２８】
すなわち、通帳のＭＳデータが破壊された場合、銀行等の金融機関の窓口に出向くことなく、即その場で、破壊されたＭＳデータの復元、又は記帳済み通帳の再発行ができ、顧客へのサービスを向上させることができる。また、金融機関での窓口業務の省力化を達成することができる。
【発明の効果】
【００２９】
以上説明したように、本発明によれば次のような効果がある。
【００３０】
(1) ：自動取引装置の運用時間延長に伴い、通帳の時間外の取り扱いも可能になってきているが、磁石等の影響によりＭＳデータの破壊された通帳は自動取引装置で扱えないため、窓口申告が必要である。この発明では、自動取引装置において、ＭＳデータの破壊された通帳と判断した場合に、即その場で、ＭＳデータの復元、又は通帳の再発行を行うことができる。従って、顧客は窓口に出向くことなく、即その場で取引を継続して行うことが可能になる。その結果、顧客へのサービス向上につながり、また、窓口業務の省力化にもつながる。
【００３１】
(2) ：自動取引装置の制御部（情報取得手段）は、通帳を使用した取引中に、該通帳のＭＳデータのリードエラーが発生した場合、該通帳から読み出した通帳情報（記帳途中の印字頁、印字行等）及び取引印字情報と、顧客が挿入したカード（取引用のキャッシュカード）から読み出したカード情報（口座番号、店番号等）と、顧客が入力した暗証番号とを取得する。
【００３２】
次に、自動取引装置の制御部７（ＭＳ復元／通帳再発行要求手段）は、前記情報取得手段が取得した情報をセンタ内のホストコンピュータへ送り、通帳のＭＳデータの復元又は通帳の再発行を要求する。前記要求に対し、センタ内のホストコンピュータ２から、前記要求の妥当性を判断した結果の許可情報（許可電文＋ＭＳデータ）が通知された場合、自動取引装置１の制御部７（ＭＳ復元／通帳再発行手段）は、該許可情報に基づいて通帳のＭＳデータの復元、又は通帳の再発行を行う。
【００３３】
このようにすれば、顧客は、自動取引装置の所定の挿入口に、通帳と、同口座番号のカード（キャッシュカード）を挿入し、顧客操作画面から暗唱番号を入力するだけの簡単な操作により、即その場で、ＭＳデータの復元された通帳、又は再発行された通帳を手にいれることができる。従って、即その場で取引を継続して行うことができる。
【００３４】
すなわち、通帳のＭＳデータが破壊された場合、銀行等の金融機関の窓口に出向くことなく、即その場で、破壊されたＭＳデータの復元、又は記帳済み通帳の再発行ができ、顧客へのサービスを向上させることができる。また、金融機関での窓口業務の省力化を達成することができる。
【００３５】
(3) ：通帳プリンタユニットに、新たに通帳印字文字読み取り部を設けたことにより、制御部からの指示に基づいて通帳印字文字読み取り部が、前記取引印字情報として、通帳から最終印字残高情報を読み出すことができる。そして、読み出した最終印字残高情報は制御部７へ送り、制御部では、ＭＳデータの復元／通帳再発行要求を行う際に前記情報をセンタへ送るが、センタでは最終印字残高情報を用いて前記要求の妥当性を判断することにより、正確な妥当性の判断を行うことができる。
【００３６】
(4) ：顧客操作部にＭＳ復元キーを新たに設けたので、通帳プリンタユニットにおいて、通帳のＭＳデータのリードエラーが発生した場合、顧客は、顧客操作部に表示されたＭＳ復元キーにより、通帳のＭＳデータの復元又は通帳の再発行を選択することができる。
【００３７】
従って、顧客は、ＭＳ復元キーを操作することで、簡単に、即その場で、ＭＳデータの復元された通帳、又は再発行された通帳を手にいれることができる。従って、即その場で取引を継続して行うことができる。
【００３８】
(5) ：前記センタへ送る情報は、カードから読み取った口座情報（口座番号）、顧客が入力した暗証番号、通帳から読み取った記帳情報、頁情報、行情報、最終印字残高情報を含んでいる。従って、センタでは前記情報を基に、ＭＳデータの復元／通帳再発行要求に対する妥当性の判断を正確、かつ迅速に行うことができる。
【００３９】
(6) ：ＭＳ復元／通帳再発行手段は、センタから受信した許可情報を基に、前記リードエラーが発生した通帳のＭＳに対し、ＭＳデータの書き込みを行ってＭＳデータの復元処理を行い、正常終了したら該通帳を顧客に返却して処理を終了し、異常終了したら記帳済み通帳を再発行する。このようにすれば、ＭＳデータの復元のみで済む場合は通帳の再発行は必要なく、処理が簡単、かつ短時間で済む。
【００４０】
(7) ：ＭＳ復元／通帳再発行手段は、通帳のＭＳデータを復元する場合、或いは通帳を再発行する場合、前記ＭＳデータを復元する通帳に、顧客を特定し、判断できる情報（例えば、カードから読み出した口座番号等）が印字されている（欄外に印字しても良い）ことで、通帳の妥当性を得る。このようにすれば、通帳の妥当性をより一層正確に判断することができる。
【００４１】
(8) ：記録媒体からプログラムを読み出して実行することにより、通帳を使用した取引中に、該通帳のＭＳデータのリードエラーが発生した場合、該通帳から読み出した通帳情報及び取引印字情報と、顧客が挿入したカードから読み出したカード情報と、顧客が入力した暗証番号とを取得する情報取得手段と、前記情報取得手段が取得した情報をセンタへ送り、通帳のＭＳデータの復元又は通帳の再発行を要求するＭＳ復元／通帳再発行要求手段と、前記要求に対し、センタから、前記要求の妥当性を判断した結果の許可情報が通知された場合、該許可情報に基づいて通帳のＭＳデータの復元、又は通帳の再発行を行うＭＳ復元／通帳再発行手段の機能を実現するための処理を行う。
【００４２】
このようにすれば、顧客は、自動取引装置の所定の挿入口に、通帳と、同口座番号のカード（キャッシュカード）を挿入し、顧客操作画面から暗唱番号を入力するだけの簡単な操作により、即その場で、ＭＳデータの復元された通帳、又は再発行された通帳を手にいれることができる。従って、即その場で取引を継続して行うことができる。
【００４３】
すなわち、通帳のＭＳデータが破壊された場合、銀行等の金融機関の窓口に出向くことなく、即その場で、破壊されたＭＳデータの復元、又は記帳済み通帳の再発行ができ、顧客へのサービスを向上させることができる。また、金融機関での窓口業務の省力化を達成することができる。
【発明を実施するための最良の形態】
【００４４】
以下、発明の実施の形態を図面に基づいて詳細に説明する。
【００４５】
§１：システムの説明・・・図２参照
図２はシステムの説明図である。このシステムは、銀行等の金融機関において取引を行うために使用されるシステムであり、各営業店等に設置した自動取引装置１（一般には複数台）と、遠隔地にあるセンタ内のホストコンピュータ２とが通信回線３により接続されたシステムである。この場合、１台のホストコンピュータ２に対し、各営業店の複数台の自動取引装置１が接続されている。
【００４６】
そして、センタのホストコンピュータ２には、センタ元帳４（元帳データを格納した記憶装置）が設けてあり、このセンタ元帳４には、顧客の取引情報等が格納され、センタの係員により管理されている。前記センタ元帳４のデータとしては、口座番号、暗証番号、未記帳情報、通帳頁情報、行情報、通帳残高情報等が含まれている。
【００４７】
各営業点の自動取引装置１は、顧客の取引を行う場合、ホストコンピュータ２と交信しながら取引情報を送受信することで必要な処理を行う。
【００４８】
§２：自動取引装置の構成の説明・・・図３参照
図３は自動取引装置のブロック図である。前記自動取引装置１には、全体の制御を行う制御部７と、顧客が取引に使用するカード（キャッシュカード）の情報を読み取ったり、用紙に取引情報を印字したりするカードリーダ／プリンタユニット９と、通帳に取引情報を印字するための通帳プリンタユニット１０と、紙幣の計数を行うための現金計数ユニット（紙幣）１２と、硬貨の計数を行うための現金計数ユニット（硬貨）１３と、顧客が取引時に操作を行う顧客操作部１４と、係員が装置の管理を行う場合に操作する管理操作部１５と、前記ホストコンピュータ２と通信するためのホスト通信部１６等が設けてある。
【００４９】
前記制御部７には、各種制御を行うＣＰＵ４０と、ワーク用のメモリとして使用するＲＡＭ４１と、ＣＰＵ４０が処理を行う際に使用する各種のプログラムや、その他のデータを格納するためのＲＯＭ４２等が設けてある。
【００５０】
また、前記カードリーダ／プリンタユニット９には、カードのＭＳに対するＭＳデータのリード／ライトを行うカードＭＳリード／ライト部１９と、カードのエンボス（凹凸による取引情報）の光学的な読み取りを行うエンボス読み取り部２１と、レシート等の用紙に取引情報を印字するためのプリンタ部２０と、前記プリンタ部２０で使用する用紙を自動的に補充する自動補充部２２が設けてある。
【００５１】
前記通帳プリンタユニット１０には、通帳のＭＳに対してＭＳデータのリード／ライトを行う通帳ＭＳリード／ライト部２３と、通帳の印字頁、及び印字行等の情報（通帳情報）を光学的に読み取るイメージリーダ部２４と、通帳に取引情報等を印字する印字部２７と、通帳を発行する通帳発行部２５と、通帳の印字途中の最終印字残高情報（印字された最終残高データ）を光学的に読み取る通帳印字文字読み取り部２６が設けてある。
【００５２】
前記通帳印字文字読み取り部２６は、新たに設けたもの（従来装置にはない）であり、通帳の印字面から最終印字残高データを光学的に読み取り、そのイメージデータから文字認識処理を行って前記データを認識する機能を有するものである。従って、前記通帳印字文字読み取り部２６には、イメージセンサ等の光学的読み取り用の素子と、文字認識処理を行う文字認識処理部（プログラムにより構成）が設けてある。
【００５３】
なお、前記文字認識処理部は、制御部７内に設けても実現可能である。この場合、通帳印字文字読み取り部２６のイメージセンサ等により、最終印字残高データを光学的に読み取り、そのイメージデータを制御部７へ送り、制御部７内で文字認識を行ってもよい。
【００５４】
前記顧客操作部１４は、取引時に顧客が操作するものであり、情報を表示するための表示部（表示画面）を備えている。この場合、前記表示部は、タッチパネルで構成され、表示された情報の部分を顧客が指でタッチすることで情報の入力ができるようになっている。
【００５５】
そして、この表示部には、顧客が通帳のＭＳを復元したり、ＭＳデータの破壊された通帳の再発行を選択するためのＭＳ復元キー２９が設けてあり（表示できるようになっており）、この表示されたＭＳ復元キーの操作により、前記選択操作ができるようになっている。なお、前記ＭＳ復元キー２９は新たに設けたキー（従来装置にはない）である。
【００５６】
§３：通帳プリンタユニットの説明・・・図４参照
図４は通帳プリンタユニットの構成図である。以下、図４に基づいて通帳プリンタユニットの機構部を説明する。前記通帳プリンタユニット１０には、通帳を挿入するための挿入口３０が設けてあり、この挿入口３０から通帳を挿入できるようになっている。
【００５７】
また、前記挿入口３０の周辺部にはセットセンサ（図示省略）が設けてあり、挿入口３０から挿入された通帳が所定の位置にセットされたことを検出できるようになっている。前記挿入口３０に続いて通帳の搬送路３１が設けてあり、この搬送路３１に沿って複数の搬送用のローラ（図示省略）が設けてあり、この搬送用のローラを回転駆動することにより、挿入された通帳を内部に吸引して搬送するようになっている。
【００５８】
また、搬送路３１に沿って、ＭＳヘッドを有する通帳ＭＳリード／ライト部２３、イメージセンサを有するイメージリーダ部２４、通帳印字文字読み取り部２６、印字ヘッドを有する印字部２７、媒体一時退避部３５、媒体取り込み部３６等が設けてある。更に、このプリンタユニット１０には、通帳の用紙を捲るための通帳捲り機構部３９、複数の通帳発行カセット３７を有する通帳発行部２５等が設けてある。また、前記各機構部（メカ部）の制御を行うため、プリンタ機構制御部３８が設けてある。
【００５９】
前記イメージリーダ部２４は、通帳の頁や印字行等の情報を光学的に検出するためのものであり、通帳印字文字読み取り部２６は、通帳の印字面から印字文字を読み取るものであり、例えば、最終印字残高データを読み取る機能を備えている。
【００６０】
また、印字部２７は、通帳に取引情報等の印字を行うものであり、通帳ＭＳリード／ライト部２３は通帳のＭＳから取引情報（口座番号等）を読み取ったり、前記ＭＳに取引情報を書き込んだりするものであり、媒体一時退避部３５は媒体を一時退避させておく機構部であり、媒体取り込み部３６は顧客の取り忘れ通帳を取り込むための機構である。
【００６１】
制御通帳捲り機構部３９は通帳を捲るものであり、通帳発行部２５は新規に通帳を発行するものである。この場合、各通帳発行カセット３７から通帳を発行する。なお、前記通帳発行カセット３７は通帳の種類毎に複数個設けてある。
【００６２】
通帳プリンタユニット１０の動作概要は次の通りである。顧客により挿入口３０から挿入された通帳は、プリンタ機構制御部３８の制御により搬送路３１上のローラで搬送し、イメージリーダ部２４の読み取り位置まで搬送してイメージセンサにより通帳の情報（頁、行の情報）を光学的に読み取ることで頁数を確認し、更に通帳を印字位置まで搬送し、印字位置で停止し、印字部２７により印字データが印字される。
【００６３】
そして、通帳の印字頁の最終行まで印字してもまだ残りの印字データ（未印字データ）がある場合は、プリンタ機構制御部３８の制御により搬送路３１を切り替えて通帳捲り機構部３９まで通帳を搬送し、通帳捲り機構部３９で通帳の次頁に改頁する。
【００６４】
その後、プリンタ機構制御部３８の制御により、通帳捲り機構部３９から通帳を排出し、イメージリーダ部２４の読み取り位置まで搬送し、イメージセンサにより通帳の情報（頁、行の情報）を光学的に読み取ることで頁数を確認し、更に通帳を印字位置まで搬送して、印字部２７により通帳に残りの印字データを印字する。そして、通帳ＭＳリード／ライト部２３の位置まで通帳を搬送し、ＭＳヘッドにより通帳のＭＳのＭＳデータを更新する。その後、通帳を挿入口３０まで搬送して排出し顧客に通帳を返却する。
【００６５】
また、通帳の最終頁の最終行まで印字した場合は、その通帳で新たな取引ができなくなるので、新規に通帳の発行を行う。この場合、顧客の操作により、通帳発行部２５の通帳発行カセット３７で通帳を発行し、その後、通帳を挿入口３０まで搬送して排出し顧客に通帳を渡す。
【００６６】
前記のようにして処理を行う過程で、通帳ＭＳリード／ライト部２３により通帳のＭＳをリードしている時、通帳のＭＳデータが破壊されていてリードエラーが発生すると、プリンタ機構制御部３８の制御により、通帳印字文字読み取り部２６で通帳の印字面から最終印字残高データを読み取り、前記データを制御部７へ送る。
【００６７】
§４：通帳発行時の処理説明・・・図５参照
図５は自動取引装置の処理フローチャートである。以下、図５の処理フローチャートに基づいてＭＳ復元／通帳再発行時の処理を説明する。なお、Ｓ１〜Ｓ１２は各処理ステップを示す。
【００６８】
前記自動取引装置において、通帳を使用した取引を行うためには、通帳プリンタユニット１０の挿入口３０に通帳を挿入して通帳のＭＳを正常にリードできる必要があり、リードエラーとなった通帳は顧客に返却され取り扱い不可となっている。
【００６９】
そこで、本発明の実施の形態では、ＭＳリードエラー発生時に、ＭＳ復元又は通帳再発行の必要有無を顧客が確認し、ＭＳ復元又は通帳再発行希望であれば、同口座のカード（キャッシュカード）を挿入させ、ＭＳデータの復元、又は記帳済み通帳の再発行処理を行う。これにより、顧客は、即その場でＭＳデータを復元した通帳、又は新しい通帳（記帳済み）を手に入れることが可能になる。
【００７０】
この処理は、前記のように通帳発行機能を有する自動取引装置において行う処理であり、顧客の操作に基づいて処理を行う。先ず、顧客操作部１４の画面で顧客が取引上必要な操作を行う。この時、種別選択画面にて、通帳取引キー（記帳／入金等）が押されると（Ｓ１）、顧客の通帳挿入待ちとなる。この時、通帳が前記挿入口３０から挿入されると、通帳プリンタユニット１０では、通帳ＭＳリード／ライト部２３によりＭＳのリードを行い、続いて通帳の行セット処理を行う（Ｓ２）。
【００７１】
ここで、通帳のＭＳリード／行セットが正常終了した場合（Ｓ３）は、通常の取引処理を行う。しかし、ＭＳリードエラーが発生した場合、通帳のＭＳデータが破壊されたと判断し、ＭＳ復元／通帳再発行の選択画面を表示して、顧客に選択させる（Ｓ４）。この場合、前記制御部７からの指示に基づいて顧客操作部１４が顧客操作画面上にＭＳ復元キー２９を表示し、このキー操作により前記選択を行う。
【００７２】
そして、顧客がＭＳ復元キー２９を押さずに、通常の処理終了を選択した場合は、顧客にＭＳデータの破壊された通帳を返却し、その後、顧客待ちとする。このような処理をするのは、例えば、顧客がカードを持参しない場合、或いは、何らかの理由により窓口へ出向くことを希望した場合等である。すなわち、ＭＳデータの破壊された通帳と同口座のカードの所持の確認を行い、ＭＳ復元／通帳再発行が希望されなかった場合は、今までどおり窓口申告とし、通帳を顧客に返却する。
【００７３】
また、顧客が前記ＭＳ復元キー２９を選択した（押した）場合は、ＭＳデータの復元又は通帳の再発行を行う。この場合、通帳プリンタユニット１０では、制御部７からの指示により、イメージリーダ部２４が通帳情報（通帳の未記帳情報、頁情報、行情報等）を読み取り、この情報を制御部７へ送る。その後、通帳印字文字読み取り部２６が、通帳の取引印字情報（通帳印字最終残高データ）を読み取り、この情報を制御部７へ送る（Ｓ５）。そして、制御部７では前記情報を受け取ると、ＣＰＵ４０がＲＡＭ４１に格納しておく。
【００７４】
続いて、顧客がＭＳ復元キー２９を選択し、ＭＳ復元／通帳再発行が希望された場合は、同口座番号のカード挿入待ちとなり、カード挿入後本人確認のための暗証番号入力を行う。この場合、顧客がカードを挿入すると、カードリーダ／プリンタユニット９ではカードＭＳリード／ライト部１９により前記カードのＭＳデータをリードし、そのデータ（店番号、口座番号等）を制御部７へ送る。そして、制御部７では前記データを受け取ると、ＣＰＵ４０がＲＡＭ４１に格納しておく。
【００７５】
続いて、顧客操作部１４の画面上で顧客が暗証番号を入力すると、顧客操作部１４はその入力データ（暗証番号）を制御部７へ送る。そして、制御部７では前記データを受け取ると、そのデータをＣＰＵ４０がＲＡＭ４１に格納しておく。このようにして制御部７では、カード情報と暗証番号を取得し、ＲＡＭ４１に格納する（Ｓ６）。
【００７６】
次に、制御部７のＣＰＵ４０は、ＲＡＭ４１のデータ（カード情報、暗証番号、通帳情報、取引印字情報）をセンタのホストコンピュータ２へ送り、ＭＳ復元／通帳再発行要求を行う（Ｓ７）。前記要求を受けたセンタでは、ホストコンピュータ２が受信した前記データを基に、センタ元帳４のデータと比較して前記要求の妥当性を判断する。
【００７７】
すなわち、ホストコンピュータ２では、カードから読み出した口座番号、顧客が入力した暗証番号、通帳から読み出した記帳情報、頁情報、行情報、及び通帳残高情報を、センタ元帳４内の情報と比較することで前記要求の妥当性を判断する。
【００７８】
その結果、前記要求が妥当なものであると判断した場合には、ホストコンピュータ２から自動取引装置に対し、ＭＳ復元／通帳再発行指示（許可電文）が送られる。この場合、ホストコンピュータ２側では、前記口座番号を基に、通帳のＭＳデータ復元指示、通帳再発行指示、未記帳印字指示等の指示を前記許可電文により行う。
【００７９】
前記指示を受けた自動取引装置１の制御部７では、通帳プリンタユニット１０に指示して通帳のＭＳデータの復元処理を行う。この場合、通帳ＭＳリード／ライト部２３が通帳のＭＳに、ホストコンピュータ２から受信したＭＳデータを書き込み、ＭＳデータの復元を行う（Ｓ８）。
【００８０】
その結果、前記ＭＳデータの書き込み処理が正常完了した場合（Ｓ９）には、顧客にカードを返却する（Ｓ１１）。その後、印字部２７により通帳に情報（ホストコンピュータ２から受信した口座番号等の妥当性を確認するための情報）を印字し、該通帳を顧客に返却する（Ｓ１２）。その後、顧客待ち状態となる。
【００８１】
また、前記Ｓ９の処理で異常終了した場合は、通帳のＭＳデータの破壊が復元できないと判断し、通帳の再発行を行う（Ｓ１０）。この場合、制御部７の指示により、通帳発行部２５が、指定された通帳発行カセット３７から新たな通帳を発行する。この時、再発行した通帳には、元の通帳の情報を書き込み、継続して取引ができる状態（記帳済み通帳）にする。
【００８２】
その後、顧客にカードを返却し（Ｓ１１）、印字部２７により通帳に情報（ホストコンピュータ２から受信した口座番号等の妥当性を確認するための情報）を印字（例えば、印字面の欄外に印字）し、該通帳を顧客に返却する（Ｓ１２）。その後、顧客待ち状態となる。このようにして返却された通帳を使用することにより、その後の通帳取引が可能となる。
【００８３】
前記のように、顧客に、ＭＳ破壊された通帳と同口座番号のカードを挿入させ、かつ、暗証番号を入力させることにより、通帳の妥当性と本人確認を行うとともに、記帳途中頁と印字行をホストコンピュータ側で管理しておき、発行要求の頁／行をチェックすることにより妥当性を得る。また、通帳印字明細の残高欄の読み取り機能を付加し、ホストコンピュータのセンタ元帳との整合性をとることにより、妥当性を高めることも可能である。
【００８４】
§５：ＭＳリードエラー発生時の処理説明・・・図６参照
図６はＭＳ復元／通帳再発行処理のシーケンス図である。以下、図６に基づいて、通帳のＭＳデータ破壊に対する復元処理、及び通帳再発行処理を説明する。先ず、顧客操作部１４の画面で顧客が取引上必要な操作を行う。この時、種別選択画面にて、顧客が通帳取引キー（記帳／入金等）を押すと、顧客の通帳挿入待ちとなる。この時、通帳が前記挿入口３０から挿入されると、制御部７の指示により、通帳プリンタユニット１０では、通帳ＭＳリード／ライト部２３がＭＳリードを行い、通帳の行セットを行う。
【００８５】
そして、ＭＳリードが完了すると、通帳プリンタユニット１０から制御部７へ完了通知を送る。ここで、通帳のＭＳリード／行セットが正常終了した場合は、通常の取引処理を行うが、ＭＳリードエラーが発生した場合、前記完了通知でリードエラーを通知する。
【００８６】
前記リードエラーが発生した場合、制御部７では、顧客操作部１４に指示して、ＭＳ復元キー２９を表示させ、顧客の選択待ちとする。そして、顧客がＭＳ復元キー２９を選択すると、顧客操作部１４では、通帳のＭＳデータ復元、又は通帳の再発行希望有の入力情報を制御部７へ送る。
【００８７】
この時、制御部７では、通帳プリンタユニット１０に対し、通帳からの情報（頁、行、印字データ等）のリードを指示する。この指示により、通帳プリンタユニット１０では、イメージリーダ部２４により通帳情報（通帳の記帳情報、頁情報、行情報等）を読み取り、この情報を制御部７へ送る。その後、通帳印字文字読み取り部２６により、通帳の取引印字情報（通帳印字最終残高データ）を読み取り、この情報を制御部７へ送る。
【００８８】
続いて、同口座番号のカード挿入待ちとなり、カード挿入後本人確認のための暗証番号入力を行う。この場合、顧客がカードを挿入すると、制御部７からカードリーダ／プリンタユニット９に対し、挿入したカードのＭＳデータをリードする指示を行う。この指示により、カードリーダ／プリンタユニット９では、カードＭＳリード／ライト部１９により前記カードのＭＳデータを読み取り、そのＭＳデータ（店番号、口座番号等）を制御部７へ送る。
【００８９】
続いて、制御部７から顧客操作部１４に対し、暗証番号入力を指示する。この指示により、顧客操作部１４では画面に暗証番号入力を促す情報を表示する。この表示により、顧客操作部１４の画面上で顧客が暗証番号を入力すると、顧客操作部１４はその入力データ（暗証番号）を制御部７へ送る。そして、制御部７では前記情報（カード情報、暗証番号、通帳情報、取引印字情報）を受け取ると、その情報をＣＰＵ４０がＲＡＭ４１に格納しておく。
【００９０】
次に、制御部７のＣＰＵ４０は、前記ＲＡＭ４１のデータ（カード情報、暗証番号、通帳情報、取引印字情報）をセンタのホストコンピュータ２へ送り、ＭＳ復元／通帳再発行要求を行う。前記要求を受けたセンタでは、ホストコンピュータ２が受信した前記データを基に、センタ元帳４のデータと比較して前記要求の妥当性を判断する。
【００９１】
すなわち、ホストコンピュータ２では、カードから読み出した口座番号、顧客が入力した暗証番号、通帳から読み出した記帳情報、頁情報、行情報、及び通帳残高情報を、センタ元帳４内の情報と比較することで前記要求の妥当性を判断する。
【００９２】
その結果、前記要求が妥当なものであると判断した場合には、ホストコンピュータ２から自動取引装置の制御部７に対し、ＭＳ復元／通帳再発行指示（許可電文）を送る。この場合、ホストコンピュータ２側では、前記口座番号を基に、通帳のＭＳデータ復元指示、通帳再発行指示、未記帳印字指示等の指示を前記許可電文により行う。
【００９３】
前記指示を受けた自動取引装置の制御部７では、通帳プリンタユニット１０に指示して通帳のＭＳデータの復元処理を行う。この場合、通帳ＭＳリード／ライト部２３が通帳のＭＳに、ホストコンピュータ２から受信したＭＳデータを書き込み、ＭＳデータの復元を行う。
【００９４】
その結果、通帳プリンタユニット１０から制御部７に対し、前記ＭＳデータの書き込み処理が正常完了した完了通知を送ると、制御部７はカードリーダ／プリンタユニット９に指示して顧客にカードを返却する。その後、カードリーダ／プリンタユニット９から制御部７に対し、正常完了した旨の完了通知を送ると、制御部７は通帳プリンタユニット１０に対し、通帳返却の指示を行う。
【００９５】
この指示により、通帳プリンタユニット１０では、顧客に通帳を返却する。そして、前記返却処理が正常完了した場合には、正常完了した旨の管理用通知を制御部７へ送る。
【００９６】
前記処理において、通帳プリンタユニット１０の印字部２７により、通帳に情報（ホストコンピュータ２から受信した口座番号等の妥当性を確認するための情報）を印字し、該通帳を顧客に返却する。その後、顧客待ち状態となる。
【００９７】
前記のように、顧客に、ＭＳデータの破壊された通帳と同口座番号のカードを挿入させ、かつ暗証番号を入力させることにより、通帳の妥当性と本人確認を行うとともに、記帳途中頁と印字行をホストコンピュータ側で管理しておき、発行要求の頁／行をチェックすることにより妥当性を得る。また、通帳印字明細の残高欄の読み取り機能を付加し、ホストコンピュータのセンタ元帳との整合性をとることにより、妥当性を高めることも可能である。
【００９８】
§６：ＭＳリードエラー発生時のその他の説明
(1) ：自動取引装置１の制御部７は、通帳を使用した取引中に、該通帳のＭＳデータのリードエラーが発生した場合、該通帳から読み出した通帳情報（記帳途中の印字頁、印字行等）及び取引印字情報と、顧客が挿入したカード（取引用のキャッシュカード）から読み出したカード情報（口座番号、店番号等）と、顧客が入力した暗証番号とを取得する。
【００９９】
次に、制御部７は、前記情報取得手段が取得した情報をセンタ内のホストコンピュータ２へ送り、通帳のＭＳデータの復元又は通帳の再発行を要求する。前記要求に対し、センタ内のホストコンピュータ２から、前記要求の妥当性を判断した結果の許可情報（許可電文＋ＭＳデータ）が通知された場合、制御部７は、該許可情報に基づいて通帳のＭＳデータの復元、又は通帳の再発行を行う。
【０１００】
このようにすれば、顧客は、自動取引装置１の所定の挿入口に、通帳と、同口座番号のカード（キャッシュカード）を挿入し、顧客操作画面から暗唱番号を入力するだけの簡単な操作により、即その場で、ＭＳデータの復元された通帳、又は再発行された通帳を手にいれることができる。従って、即その場で取引を継続して行うことができる。
【０１０１】
すなわち、通帳のＭＳデータが破壊された場合、銀行等の金融機関の窓口に出向くことなく、即その場で、破壊されたＭＳデータの復元、又は記帳済み通帳の再発行ができ、顧客へのサービスを向上させることができる。また、金融機関での窓口業務の省力化を達成することができる。
【０１０２】
(2) ：通帳プリンタユニット１０に、新たに通帳印字文字読み取り部２６を設けたことにより、制御部７からの指示に基づいて通帳印字文字読み取り部２６が、前記取引印字情報として、通帳から最終印字残高情報を読み出すことができる。そして、読み出した最終印字残高情報は制御部７へ送り、制御部７では、ＭＳデータの復元／通帳再発行要求を行う際に前記情報をセンタへ送るが、センタでは最終印字残高情報を用いて前記要求の妥当性を判断することにより、正確な妥当性の判断を行うことができる。
【０１０３】
(3) ：顧客操作部１４にＭＳ復元キーを新たに設けたので、通帳プリンタユニット１０において、通帳のＭＳデータのリードエラーが発生した場合、顧客は、顧客操作部１４に表示されたＭＳ復元キー２９により、通帳のＭＳデータの復元又は通帳の再発行を選択することができる。
【０１０４】
従って、顧客は、ＭＳ復元キーを操作することで、簡単に、即その場で、ＭＳデータの復元された通帳、又は再発行された通帳を手にいれることができる。従って、即その場で取引を継続して行うことができる。
【０１０５】
(4) ：前記センタへ送る情報は、カードから読み取った口座情報（口座番号）、顧客が入力した暗証番号、通帳から読み取った記帳情報、頁情報、行情報、最終印字残高情報を含んでいる。従って、センタでは前記情報を基に、ＭＳデータの復元／通帳再発行要求に対する妥当性の判断を正確、かつ迅速に行うことができる。
【０１０６】
(5) ：制御部７は、センタから受信した許可情報を基に、前記リードエラーが発生した通帳のＭＳに対し、ＭＳデータの書き込みを行ってＭＳデータの復元処理を行い、正常終了したら該通帳を顧客に返却して処理を終了し、異常終了したら記帳済み通帳を再発行する。このようにすれば、ＭＳデータの復元のみで済む場合は通帳の再発行は必要なく、処理が簡単、かつ短時間で済む。
【０１０７】
(6) ：制御部７は、通帳のＭＳデータを復元する場合、或いは通帳を再発行する場合、前記ＭＳデータを復元する通帳に、顧客を特定し、判断できる情報（例えば、カードから読み出した口座番号等）が印字されている（欄外に印字しても良い）ことで、通帳の妥当性を得る。このようにすれば、通帳の妥当性をより一層正確に判断することができる。
【０１０８】
§７：記録媒体とプログラムの説明
前記のように、自動取引装置の制御部７では、ＲＯＭ４２にプログラムを格納しておき、ＣＰＵ４０が前記ＲＯＭ４２のプログラムを読み出して実行することにより、前記処理を行う。
【０１０９】
この場合、ＲＯＭ４２に格納するプログラムとしては、取引情報を記録したＭＳを有する通帳及び取引情報を記録したカードを扱い、顧客の操作に基づいて取引を行う自動取引装置１に、
イ：通帳を使用した取引中に、通帳のＭＳのリードエラーが発生した場合、通帳から読み出した通帳情報及び取引印字情報と、顧客が挿入したカードから読み出したカード情報と、顧客が入力した暗証番号とを取得する第１の手順と、
ロ：前記第１の手順で取得した情報をセンタへ送り、通帳のＭＳデータの復元又は通帳の再発行を要求する第２の手順と、
ハ：前記要求に対し、センタから、前記要求の妥当性を判断した結果の許可情報が通知された場合、該許可情報に基づいて通帳のＭＳデータの復元、又は通帳の再発行を行う第３の手順とを行わせるためのプログラムである。
【０１１０】
前記のように、制御部７が行う処理は、ＣＰＵ４０がＲＯＭ４２内のプログラムを実行することにより行うが、このような例に限らず次のようにしても実現可能である。例えば、ホストコンピュータ２にはハードディスク装置が設けてあり、このハードディスク装置の記録媒体（ハードディスク）に、前記制御部７の処理を実現するためのプログラムやその他のデータを格納しておく。
【０１１１】
そして、ホストコンピュータ２内のＣＰＵの制御により、ハードディスク装置の記録媒体に格納されている前記プログラムを読み出して、各自動取引装置へ転送する。前記プログラムを受信した自動取引装置では、制御部７内のＣＰＵ４０の制御により、ホストコンピュータ２から受信した前記プログラムをＲＡＭ４１へ格納する。その後、ＣＰＵ４０がＲＡＭ４１に格納してあるプログラムの内、必要なプログラムから順次読み出して実行することにより、前記制御部７の処理を行う。
【０１１２】
この場合、各自動取引装置に、ハードディスク装置（磁気ディスク装置）、或いは他の任意の書き込み可能な不揮発性メモリ等を備えている場合は、この磁気ハードディスク装置、或いは他の任意の書き込み可能な不揮発性メモリ（例えば、ＥＥＰＲＯＭ）に前記制御部７が使用するプログラムを格納しておき、運転時に前記プログラムをＲＡＭ４１に格納して使用しても良い。
【０１１３】
なお、前記ホストコンピュータ２のハードディスク装置に格納するプログラムは、例えば、次のようにして記録（記憶）する。
【０１１４】
(a) ：フレキシブルディスク（フロッピィディスク）に格納されているプログラム（他の装置で作成したプログラムデータ）を、ホストコンピュータ２に設けたフレキシブルディスクドライブにより読み取り、ハードディスク装置の記録媒体（ハードディスク）に格納する。
【０１１５】
(b) ：光磁気ディスク、或いはＣＤ−ＲＯＭ等の記憶媒体に格納されているデータを、前記ホストコンピュータ２に設けたドライブ装置（ＣＤ−ＲＯＭドライブ１２等）により読み取り、ハードディスク装置の記録媒体（ハードディスク）に格納する。
【０１１６】
(c) ：ＬＡＮ等の通信回線を介して他の装置から伝送されたプログラム等のデータを、ホストコンピュータ２が通信制御部を介して受信し、そのデータをハードディスク装置の記録媒体（ハードディスク）に格納する。
【０１１７】
なお、前記自動取引装置のハードディスク装置、或いは書き込み可能な不揮発性メモリに前記プログラムを格納する場合にも、前記(a) 〜(c) の方法により格納することも可能である。
【図面の簡単な説明】
【０１１８】
【図１】本発明の原理説明図である。
【図２】本発明の実施の形態におけるシステムの説明図である。
【図３】本発明の実施の形態における自動取引装置のブロック図である。
【図４】本発明の実施の形態における通帳プリンタユニットの構成図である。
【図５】本発明の実施の形態における自動取引装置の処理フローチャートである。
【図６】本発明の実施の形態におけるＭＳ復元／通帳再発行処理のシーケンス図である。
【符号の説明】
【０１１９】
１  自動取引装置
２  ホストコンピュータ
３  通信回線
４  センタ元帳
７  制御部
９  カードリーダ／プリンタユニット
１０  通帳プリンタユニット
１２  現金計数ユニット（紙幣）
１３  現金計数ユニット（硬貨）
１４  顧客操作部
１５  管理操作部
１６  ホスト通信部
１９  カードＭＳリード／ライト部
２０  プリンタ部
２１  エンボス読み取り部
２２  自動補充部
２３  通帳ＭＳリード／ライト部
２４  イメージリーダ部
２５  通帳発行部
２６  通帳印字文字読み取り部
２７  印字部
２９  ＭＳ復元キー
３０  挿入口
３１  搬送路
３５  媒体一時退避部
３６  媒体取り込み部
３７  通帳発行カセット
３８  プリンタ機構制御部
４０  ＣＰＵ（中央処理装置）
４１  ＲＡＭ
４２  ＲＯＭ
【図１】
2007058877.tif 000003
【図２】
2007058877.tif 000004
【図３】
2007058877.tif 000005
【図４】
2007058877.tif 000006
【図５】
2007058877.tif 000007
【図６】
2007058877.tif 000008